(57)【特許請求の範囲】
【請求項１】
ディスク・ドライブで使用するための読取り／書込みヘッドにして、
導体の第１の対の間に差し挟まれた第１の磁気抵抗性読取り素子と、該第１の磁気抵抗性読取り素子の近くに配置され導体の第２の対の間に差し挟まれた第２の磁気抵抗性読取り素子とを含み、前記導体の第１および第２の対が殆ど同じインピーダンスを有するように寸法決定され、前記読取り／書込みヘッドが前記第１および第２の磁気抵抗性読取り素子を有すると共に第２の磁気抵抗性読取り素子がラッピング工程に関する情報を与え、前記導体の第１の対が第１の導体と第２の導体を有し、前記導体の第２の対が第２の導体と第３の導体を有する読取り／書込みヘッド。
【請求項２】
第２の磁気抵抗性読取り素子が第１の磁気抵抗性読取り素子と同じサイズである、請求項１に記載の読取り／書込みヘッド。
【請求項３】
第１と第２の磁気抵抗性読取り素子各々が上部エッジを有し、第１と第２の磁気抵抗性読取り素子の上部エッジが一直線上にある、請求項１に記載の読取り／書込みヘッド。
【請求項４】
さらに導体の第３の対を有し、導体の第３の対が互いに電気的接触にあってかつ導体の第１および第２の対と殆ど同じインピーダンスを有するように寸法決定されている、請求項１に記載の読取り／書込みヘッド。
【請求項５】
さらに第１の磁気シールドと、
第２の磁気シールドを有し、第１と第２の磁気抵抗性素子が第１と第２の磁気シールドの間で配向される、請求項１に記載の読取り／書込みヘッド。
【請求項６】
さらに磁気抵抗性シールドを有し、第１と第２の磁気抵抗性素子が磁気抵抗性シールド上に配置される、請求項１に記載の読取り／書込みヘッド。
【発明の詳細な説明】
【０００１】
本出願は米国の国内で在留のＳＥＡＧＡＴＥ  ＴＥＣＨＮＯＬＯＧＹ  ＬＬＣによるＰＣＴ出願として出願され、中国、ドイツ、英国、日本、韓国およびシンガポールを指定するものである。
【０００２】
（発明の分野）
本出願は、ディスク・ドライブで使用するための読取り／書込みヘッドに関する。
【０００３】
（発明の背景）
ディスク・ドライブのための記録媒体は局所的磁場を保持することのできる平坦で円形のディスクである。そのディスクに記憶されるデータはこれらの局所的磁場を介して物理的表現形を見出す。データはトラックとして知られる同心で円形の径路に配列される。
【０００４】
局所的磁場は磁気的に感受性の高いヘッドによって、それらがヘッドの近接位置に運ばれるときに検出され得る。動作の間でディスクは連続回転し、それは回転する毎にディスクの中心から所定の半径で固定されたヘッドが所定のトラックに沿ってすべての局所的磁場に遭遇することを意味する。
【０００５】
ディスクの表面上で局所的磁場を読み取ることおよび書き込むことのできる読取り／書込みヘッド１００は図１に描かれる。図１に描かれた読取り／書込みヘッド１００はＡｌＴｉＣ（アルミニウム、チタンおよびカーバイド）ウェハ材料から成る本体１０２から構築される。本体１０２に結合されるのは磁気抵抗性の読取り素子と書込み素子であって一緒に１０４で示される。磁気抵抗性読取り素子１０４の抵抗値は磁場に導入されると変化する。概して、磁気抵抗性読取り素子１０４が浸される磁場が強くなるにつれてその抵抗値は高くなる。したがって、磁気抵抗性読取り素子１０４は、読取り素子１０４の下の局所的磁場に方向を定め、素子１０４の抵抗値の変化を観察することによってディスク表面上に記憶された局所的磁場を検出するのに使用される。
【０００６】
読取り素子１０４の抵抗値の変化を検出するために、磁気抵抗性読取り素子１０４に定電流が流され、素子１０４を横切る電圧が観察される。近接する磁場の影響のせいで素子１０４の抵抗値が増加するので、素子１０４を横切る電圧は比例して増大する。したがって、抵抗値の変化は読取り素子１０４を横切る電圧のそれに対応する上昇として観察される。局所的磁場を検出するのに使用される定電流は磁気抵抗性読取り素子１０４の対向する両端に電気的に接触する導体１０６、１０８を通って伝播する。導体１０６、１０８は一対の配線結合部１１０、１１２へと走り、それらが導体１０６、１０８をヘッド１００の長さに延びた一対の長い導体１１４、１１６に連結し、検出回路（図示せず）に連結する。読取り／書込みヘッド１００はまた導体１１８、１２０をも含み、ディスクの表面上に磁場を記憶させるためにそれらを通って電流が流される。導体１１８、１２０もやはり一対の配線結合部１２２，１２４へと走り、それらが導体１１８、１２０をヘッド１００の長さに延びた一対の長い導体１２６、１２８に連結し、検出回路（図示せず）に連結する。
【０００７】
図２は磁気抵抗性読取り素子１０４の拡大図である。図２から理解できるように、磁気抵抗性読取り素子１０４の底部エッジ２００はスライダーの空気ベアリング表面へと延びる。空気ベアリング表面はその上で読取り／書込みヘッド１００が回転ディスク上に配置されると浮く空気の「クッション」を形成するように機能する。
【０００８】
磁気抵抗性読取り素子１０４の上部エッジは参照番号２０４で識別される。磁気抵抗性読取り素子１０４の底部エッジ２００と上部エッジ２０４との間の距離は「ストライプ高さ」と称される。磁気抵抗性読取り素子のストライプ高さは、それが磁気抵抗性素子の磁場に対する感度を決定するので重要な変数である。概して、ストライプ高さが短くなるにつれて磁気抵抗性素子の感度は高くなり、その逆も言える。
【０００９】
図３で示したように、処理前の磁気抵抗性読取り素子１０４は１００，０００Å程度のストライプ高さを有する。導体１０６、１０８はほぼ同じ高さを有する。製造の間で、磁気抵抗性のヘッドは「ラップ処理」され、それにより磁気抵抗性読取り素子１０４のストライプ高さが図２に示したそれにまで減少して、製品の要求性に応じて５００Å程度（±１０％の通常の許容誤差）となる。「ラッピング」は研磨処理を述べるのに使用される用語であって、そこでは磁気抵抗性読取り素子１０４およびそれに付随する導体１０６、１０８は所望のストライプ高さが達成されるまで研磨剤のスラリーによって文字通り削り落とされる。ラッピング処理の目的は磁気抵抗性読取り素子のストライプ高さを適切な磁気感度が作り上げられるまで減少させることである。
【００１０】
理想的には、適切な感度が達成されたときにラッピングを中止できるようにラッピングの間で磁気抵抗性読取り素子の感度を直接的に検査することは可能であろう。残念なことに、読取り素子の抵抗値を直接的に検査するために必要なので磁気抵抗性素子に電気信号を流すことによって、磁気抵抗性読取り素子と研磨剤スラリーとの間の静電気放電の可能性が促進される。そのような静電気放電は読取り素子に有害であり、したがってそのような放電の可能性を最少限にすることが望ましい。
【００１１】
ラッピングの間で二次的な抵抗性素子の抵抗値をモニタして一次磁気抵抗性素子のストライプ高さを直接測定する代用として使用することは当技術分野で既知である。二次的磁気抵抗性素子の抵抗値が所定のレベルに到達すると、一次磁気抵抗性素子のストライプ高さが適当な範囲内となり、ラッピングを中止してもよいことを想定できる。そのような代用による測定の図式を使用するために、一次と二次素子は一次と二次素子の感度の間に解っている関係が存在するように配列されねばならない。
【００１２】
図４は２つの読取り／書込みヘッド４０２、４０４、およびラッピング・ガイド４０６を含み、ダイスカットされてなく、ラップ処理されていないウェハ４００を示すものである。読取り／書込みヘッド４０２は一次磁気抵抗性素子４０８を含み、ラッピング・ガイド４０６はその抵抗値が磁気抵抗性素子４０８と解っている関係にある二次抵抗性素子４１０を含む。ラッピングの間で、二次抵抗性素子４１０の抵抗値がモニタされる。二次抵抗性素子４１０の抵抗値が一定のレベルに到達すると、一次磁気抵抗性素子４０８のストライプ高さが適切な範囲内にあると想定され、ラッピングは中止される。二次抵抗性素子４１０の抵抗値が一次磁気抵抗性素子４０８のストライプ高さと解っている関係にあることを確実化するために、一次と二次素子の上部エッジは位置合わせされる。したがってラッピングの間で、一次と二次素子のストライプ高さは同等でなければならず、二次素子の抵抗値は一次素子のストライプ高さの適切な代用として役立つはずである。しかしながら、当技術分野で既知のこの解決法は問題を有している。一次および二次素子４０８、４１０の間の距離が相対的に大きい（おそらく約５００ミクロン）。この大きな隔たりが理由で、一次素子４０８と二次素子４１０の上部エッジの位置合わせは必然的に広い公差を有する。そのような大きな公差は二次抵抗性素子４１０が一次素子４０８のストライプ高さを表示する精度から落ちるので望ましくない。こうして、二次抵抗性素子４１０は一次磁気抵抗性素子４０８にとって信頼性のない代用となる。したがって、一次磁気抵抗性素子のストライプ高さを静電気放電からの損傷の危険性に素子をさらすことなく正確に測定および制御する手段の必要性が存在する。
【００１３】
（発明の概要）
本発明による読取り／書込みヘッドは、前述の問題およびその他の問題を解決する。本発明に係るディスク・ドライブで使用するための読取り／書込みヘッドは、導体の第１の対の間に差し挟まれた第１の磁気抵抗性読取り素子と、該第１の磁気抵抗性読取り素子の近くに配置され導体の第２の対の間に差し挟まれた第２の磁気抵抗性読取り素子とを含み、前記導体の第１および第２の対が殆ど同じインピーダンスを有するように寸法決定され、前記読取り／書込みヘッドが前記第１および第２の磁気抵抗性読取り素子を有すると共に第２の磁気抵抗性読取り素子がラッピング工程に関する情報を与え、前記導体の第１の対が第１の導体と第２の導体を有し、前記導体の第２の対が第２の導体と第３の導体を有する構成を特徴とする。
【００１５】
これらおよび様々なその他の特徴、ならびに本発明を特徴付ける利点は以下の詳細説明および添付の図面の講評を読んで明らかになるであろう。
【００１６】
（詳細説明）
読取り／書込みヘッドに二次磁気抵抗性素子を組み入れることによって改良型のラッピング・ガイドが達成される。読取り／書込みヘッド上で一次磁気抵抗性素子（ディスク・ドライブの動作の間でデータを読み取るのに使用される）と同じ配置にするおかげで、二次素子は一次素子に近接して置かれ、その結果、一次および二次素子の上部エッジを位置合わせまたは関係付ける公差がさらに小さくなる。したがって、二次磁気抵抗性素子は一次素子の代用としてさらに信頼性良く役立つ。場合によっては、二次磁気抵抗性素子は、磁気感度に関して二次素子を一次素子と同等にするために、一次素子と同じ寸法で形成されてもよい。
【００１７】
図５は本発明の一実施形態によるラップ処理されていない読取り／書込みヘッド５００を描いている。図５から理解できるように、読取り／書込みヘッド５００は一次磁気抵抗性読取り素子５０２と二次磁気抵抗性素子５０４を有する。一次磁気抵抗性読取り素子５０２は２本の導体５０６、５０８の間に差し挟まれる。二次磁気抵抗性素子５０４もまた２本の導体５０８、５１０の間に差し挟まれる。一次磁気抵抗性読取り素子５０２と二次磁気抵抗性素子５０４は１本の導体５０８を共有する。一次磁気抵抗性読取り素子５０２と二次磁気抵抗性素子５０４の上部エッジは同一直線上に位置合わせされている。別の選択肢となる実施形態では、それらのそれぞれの上部エッジは互いに何らかの他の既知の関係である。第３の導体対５１０、５１２は互いに直接的に接触し、一方の導体５１０は二次磁気抵抗性素子５０４と共有される。
【００１８】
ラッピングの間で、導体５０８、二次磁気抵抗性読取り素子５０４、および導体５１０を通って検査信号が流されることもあり得る。その結果として得られる導体５０８と導体５１０の間の電圧は、もしも同じ操作が一次磁気抵抗性読取り素子５０２に為されたならば検出されるであろう電圧を表わすものである。もしも二次磁気抵抗性素子５０４が一次磁気抵抗性読取り素子５０２と同じに形成され、かつ導体５１０が導体５０６と同じに形成される場合、その電圧は同じである。そうして検出される電圧は導体５０８、５１０の抵抗値、二次磁気抵抗性素子５０４の抵抗値、および導体５０８、５１０と二次素子５０４との間の接合部に見出される抵抗値を代表するものである。導体５０８と５１０との間の電圧が所定の閾値に到達して一次磁気抵抗性読取り素子５０２が適切なストライプ高さにラップ処理されたことを示すと、ラッピングは中止されてもよい。
【００１９】
導体５１０と５１２を通って電流が流れることはあり得る。その結果として生じる導体５１０と５１２との間の電圧はそれらの合成抵抗値を代表するものである。もしも導体５１０と５１２が一次磁気抵抗性読取り素子５０２の周りの導体５０６、５０８と同じに形成される場合、そうして生じる電圧はそれらの導体５０６、５０８の抵抗値の指標である。したがって、導体５０６と５０８との間の電圧が導体５０８と５１０との間の電圧から差し引かれて導体の抵抗値の影響を打ち消すことができる。そうすることによって、磁気抵抗性素子５０４自体の抵抗値（導体５０８、５１０の付加的抵抗値を除く）がラッピング中止の決定要素となり得る。上述の差が所定の閾値に到達して一次磁気抵抗性読取り素子５０２が適切なストライプ高さにラップ処理されたことを示すと、ラッピングは中止されてもよい。
【００２０】
図６は本発明の一実施形態を描いており、そこでは一次磁気抵抗性読取り素子６００が２本の導体６０２、６０４の間に差し挟まれ、それらのどちらも二次磁気抵抗性素子６０６または導体の抵抗値を明らかにするのに使用される導体６０８、６１０の対によって共有されることはない。一次磁気抵抗性読取り素子６００を単離することによってそのキャパシタンスは低減され、それによってそのバンド幅を向上させる。
【００２１】
図７は本発明のまた別の実施形態を描いており、そこでは一次磁気抵抗性読取り素子７００が２本の導体７０２、７０４の間に差し挟まれ、それらのどちらも二次磁気抵抗性素子７０６または導体の抵抗値を明らかにするのに使用される導体７０８、７１０の対によって共有されることはない。この実施形態で、二次素子７０６は導体７０８と７１０のように単離される。一次磁気抵抗性読取り素子７００と二次磁気抵抗性素子７０６を単離する利点はそれらそれぞれの導体−素子−導体の回路の幾何学形状が同じに形成され得ることである。
【００２２】
図８は本発明のまた別の実施形態を描いたものである。図８では、一次磁気抵抗性読取り素子８００、二次磁気抵抗性素子８０２および各々の導体は２つの磁気シールド８０４、８０６の間に配置される。磁気シールド８０６は、その後方にある磁気抵抗性素子８００、８０２が見えるように切り取られていることを示すために破線で描かれている。シールド８０４、８０６は浮遊磁場の影響から磁気抵抗性素子８００、８０２を保護する。一次磁気抵抗性素子８００と二次磁気抵抗性素子８０２の両方をシールド８０４の上に配置することによって、それらそれぞれの上部エッジの位置合わせがさらに正確にされる。向上した精度は、一次および二次素子が同じ平面の表面に配置され、フォトリソグラフィのために一様な光学的配列を提示するという事実から生じる。図８は図７に示した本発明の実施形態と結合させて使用されるシールド８０４、８０６を描いているけれども、シールド８０４、８０６は同様に図５および６に示した本発明の実施形態に結合させて使用されてもよい。
【００２３】
図５から８に描いた本発明の実施形態は図９で述べる方法と結びつけて使用されるかもしれない。図９を参照して述べる方法は自動化検査システムで装備されてもよい。図９を参照して述べる機能は（デジタルマルチメーターやオシロスコープのような）研究室機器の回路で具現化されてもよいし、またはそのような研究室機器を制御するコンピュータにあるソフトウェアに具現化されることもやはりあり得る。
【００２４】
図５から８に描いた実施形態に結びつけて使用される方法の一般的構成が図９に示される。図９から理解できるように、本方法は操作９００で始まり、そこでは一次磁気抵抗性読取り素子の周りの導体がラッピングの間で一次読取り素子とスラリーとの間の静電気放電の機会を最少限にするためにグラウンド接地される。次に検査操作９０２で、二次磁気抵抗性素子を通って検査信号が流され、操作９０４でラッピングが開始される。問い合わせ操作９０６で、適切なストライプ高さが達成されたことを示す１つまたは複数の所望の特徴を検査信号が示しているか否かが決定される。もしも検査信号が１つまたは複数の所望の特徴をまだ示していない場合、フローは操作９０２に戻り、その結果ラッピングと検査は続く。さもなければ、操作９０８で示したようにラッピングは中止される。検査操作９０２と問い合わせ操作９０６は以下に述べるように様々なステップで具現化することができる。
【００２５】
一実施形態では、検査操作９０２は既知の電圧の信号を二次磁気抵抗性素子に流すステップを含む。ラッピングが進むにつれて、一次磁気抵抗性素子と二次磁気抵抗性素子の抵抗値は増大し（なぜならばストライプ高さが減少して電流が流れるための断面積を小さくしていくからである）、結果として徐々に電流が減衰する。したがってこの実施形態では、問い合わせ操作９０６は検査信号が所望のアンペア数のレベルまで減少しているかどうか決定するステップを含む。
【００２６】
同様に、別の実施形態では、検査操作９０２は既知のアンペア数の信号を二次磁気抵抗性素子に流すステップを含む。やはり、ラッピングが進むにつれて、一次磁気抵抗性素子と二次磁気抵抗性素子の抵抗値は増大し、結果として二次磁気抵抗性素子を横切る電圧が徐々に増大する。したがってこの実施形態では、問い合わせ操作９０６は検査信号が所望の電圧レベルまで到達しているかどうか決定するステップを含む。
【００２７】
さらに別の実施形態では、検査操作９０２は二次磁気抵抗性素子を動的磁場にさらすステップと既知の電流の信号を前記素子に流すステップとを含む。この実施形態では、二次磁気抵抗性素子の抵抗値はそれがさらされる磁場とそれがその時点で低減させられるストライプ高さの両方の関数である。したがって、問い合わせ操作９０６は、二乗平均平方根（ＲＭＳ）値で測定したときに検査信号が所望の電圧レベルに到達しているかどうか決定するステップを含む。場合によっては、検査操作９０２は二次磁気抵抗性素子を動的磁場にさらすステップと既知の電圧の信号を前記素子に流すステップとを含んでもよい。したがって、問い合わせ操作９０６は、ＲＭＳ値で測定したときに検査信号が所望の電流レベルまで減少しているかどうか決定するステップを含む。
【００２８】
さらに別の実施形態では、検査操作９０２は二次磁気抵抗性素子を動的磁場にさらすステップと直流（ＤＣ）信号をその二次磁気抵抗性素子に流すステップとを含む。この実施形態では、問い合わせ操作９０６は検査信号がＤＣオフセットの無い電圧プロファイル（時間に対してプロットした電圧）を有するかどうか決定するステップを含む。場合によっては、問い合わせ操作９０６は検査信号がＤＣオフセットの無い電流プロファイル（時間に対してプロットしたアンペア数）を有するかどうか決定するステップを含むこともあり得る。
【００２９】
さらに別の実施形態では、検査操作９０２は既知の電圧の信号を二次磁気抵抗性素子に流すステップを含む。この実施形態では、問い合わせ操作９０６は検査信号が所定の電流レベルを下回っているかどうか決定することによって熱的厳しさを求めるステップを含む。場合によっては、検査操作９０２は既知のアンペア数の信号を二次磁気抵抗性素子に流すステップを含む。したがって、問い合わせ操作９０６は検査信号の電圧が所定の閾値電圧を上回っているかどうか決定することによって熱的厳しさを求めるステップを含む。
【００３０】
さらに別の実施形態では、検査操作９０２は電流を導体の抵抗値の影響を打ち消すのに使用される一対の導体に流すステップを含み、既知の電流の信号を二次磁気抵抗性素子に流すステップをもやはり含む。この実施形態では、問い合わせ操作９０６は二次磁気抵抗性素子を横切る電圧と導体対を横切る電圧との間の差が閾値電圧を超えるかどうか決定するステップを含む。
【００３１】
本発明が記述した目的と利点ならびにその中に本来備わったものを達成するよう上手く構成されていることは明らかであろう。現在好ましい実施形態をこの開示の目的のために説明してきたが、数多くの変形が実施可能であってそれらは当業者にそれら自体を示唆するであろうし、それらは開示した本発明の精神に含まれ、添付の特許請求項に開示した通りである。
【図面の簡単な説明】
【図１】  先行技術で既知の読取り／書込みヘッドを描いた図である。
【図２】  ラッピング後の磁気抵抗性読取り素子の拡大図である。
【図３】  ラッピング前の磁気抵抗性読取り素子の拡大図である。
【図４】  ２つの読取り／書込みヘッドとラッピング・ガイドを有するダイスカットされてなくラップ処理されていないウェハを描いた図である。
【図５】  本発明の一実施形態による、ラップ処理されていない読取り／書込みヘッドを描いた図である。
【図６】  本発明の別の実施形態による、ラップ処理されていない読取り／書込みヘッドを描いた図である。
【図７】  本発明の別の実施形態による、ラップ処理されていない読取り／書込みヘッドを描いた図である。
【図８】  本発明の別の実施形態による、ラップ処理されていない読取り／書込みヘッドを描いた図である。
【図９】  図５から８までに描いた実施形態と結びつけて使用されるラッピング処理を制御する方法を描いた図である。
【図１】
0004010442.tif 000002
【図２】
0004010442.tif 000003
【図３】
0004010442.tif 000004
【図４】
0004010442.tif 000005
【図５】
0004010442.tif 000006
【図６】
0004010442.tif 000007
【図７】
0004010442.tif 000008
【図８】
0004010442.tif 000009
【図９】
0004010442.tif 000010